(57)【要約】【課題】  ラミネータにおいて、小さな粘着力のラミネートフィルムでも基板に貼り付けられるようにすることを課題としている。【解決手段】  機台２に回転可能に支持されて駆動回転される下ローラＲ1 と、当該下ローラＲ1 の直上に配置されて、当該下ローラＲ1 を加圧することにより従動回転される上ローラＲ2 とを備え、前記上ローラＲ2 の両端部を支持している左右一対のローラ支持体２２と、垂直配置されて前記機台２に回転可能に支持された左右一対の雄螺子部材から成る加圧ロッド１１の下端部とが螺合された構成のラミネータであって、前記加圧ロッド１１と前記ローラ支持体２２とは、圧縮コイルバネ３６の復元力により前記上ローラＲ2 に加圧力を発生させる圧縮バネ機構Ｋを介して連結した構成とする。【選択図】  図２
2009073137.tif 000002
【特許請求の範囲】
【請求項１】
機台に回転可能に支持されて駆動回転される下ローラと、当該下ローラの直上に配置されて、当該下ローラを加圧することにより従動回転される上ローラとを備え、
前記上ローラの両端部を支持している左右一対のローラ支持部材と、垂直配置されて前記機台に回転可能に支持された左右一対の雄螺子部材から成る加圧ロッドの下端部とが螺合され、前記加圧ロッドを特定方向に回転させることにより、前記上ローラは直下の下ローラを加圧する構成であり、
前記下ローラの駆動回転により当該下ローラと上ローラとの間で基板を挟持加圧して当該基板を通過させると共に、当該基板の移動と同期してフィルムローラから引き出されたラミネートフィルムを前記加圧ローラの加圧力により前記基板の表面に貼り付ける構成のラミネータであって、
前記加圧ロッドと前記ローラ支持部材とは、圧縮バネの復元力により前記上ローラに加圧力を発生させる圧縮バネ機構を介して連結されていることを特徴とするラミネータ。
【請求項２】
前記加圧ロッドの下端部には、上バネ座板を有するガイド筒部が螺合され、前記ローラ支持部材の上端部は、前記ガイド筒部の外側に摺動可能に嵌合される筒状摺動嵌合部となっていて、前記ローラ支持部材の前記筒状摺動嵌合部の下方の雄螺子部に下バネ座板が螺合されて、上下の各バネ座板の間に圧縮コイルバネが介装されていることを特徴とする請求項１に記載のラミネータ。
【請求項３】
前記基板は、選挙用ポスターを貼り付けるためのポスターボードであって、基板部の裏面に一方向のみに沿ったリブを有しており、
前記下ローラには、ポスターボードのリブとの干渉を回避するための周溝が形成されていることを特徴とする請求項１又は２に記載のラミネータ。
【請求項４】
前記下の各ローラは、軸方向の全ての部分で外径が同一のローラであることを特徴とする請求項１ないし３のいずれかに記載のラミネータ。
【発明の詳細な説明】
【技術分野】
【０００１】
本発明は、ラミネートフィルムを剥がし取ることが可能な程度の小さな粘着力のラミネートフィルムでも一定期間内では剥がれることなく、しっかりと基板に貼り付けられるラミネータに関するものである。
【背景技術】
【０００２】
ラミネータには、ラミネートフィルムが貼り付けられる被貼付け部材がローラに巻取可能であるか否かによって２種類に大別され、本発明に係るラミネータは、被貼付け部材が製品巻取りローラに巻き取ることのできない板状の部材をラミネートフィルムの貼付け対象にしている。
【０００３】
被貼付け部材が板状であって、製品巻取りローラに巻き取ることのできないラミネータは、機台に回転可能に支持されて駆動回転される下ローラと、当該下ローラの直上に配置されて、当該下ローラを加圧することにより従動回転される上ローラとを備え、前記上ローラの両端部を支持している左右一対の支持部材と、垂直配置されて前記機台に回転可能に支持された左右一対の雄螺子部材から成る加圧ロッドの下端部とが螺合され、前記加圧ロッドを特定方向に回転させることにより、前記上ローラは直下の下ローラを加圧して、前記下ローラの駆動回転により当該下ローラと上ローラとの間で基板を加圧挟持して当該基板を通過させると共に、当該基板の移動と同期してフィルムローラから引き出されたラミネートフィルムを前記上ローラの加圧力により前記基板の表面に貼り付ける構成である（特許文献１参照）。
【０００４】
このラミネータは、下ローラに対する上ローラの加圧力は、加圧ロッドによる加圧力と上ローラの自重とに依存しているため、被貼付け部材を送出可能な加圧力であることを前提として、限度を超える大きな加圧力で加圧することはできない。このため、被貼付け部材に対するラミネートフィルムの貼付け力を大きくするには、当該ラミネートフィルムの有する粘着力そのものを大きくせざるを得ないのが実情である。
【０００５】
ラミネートフィルムの貼付け対象である被貼付け部材には、種々のものが存在していて、本発明に係るラミネータの主たる被貼付け材は、選挙用ポスターを貼り付けるポスターボードである。このポスターボードは、表面の被貼付け面には、極薄のアルミニウム板（アルミ箔）が貼り付けられていると共に、裏面には補強用のリブが一方向のみに沿って設けられていて、選挙がある毎に繰り返して使用される。このため、選挙後には、次の選挙の使用に備えて、ポスターを貼り付けているラミネートフィルムをボードから剥がす必要がある。即ち、ポスターボードに対するラミネートフィルムは、選挙期間中に野外に放置されて風雨に晒されてもラミネートフィルムが剥がれないことと、選挙後にはラミネートフィルムそのものを剥がして次の選挙の使用に供することが可能であること、との相反する二つの要望を満たす必要がある。
【０００６】
よって、従来のラミネータでは、ポスターボードに対して大きな粘着力を有するラミネートフィルムを貼り付けることは可能であるが、粘着力の大きなラミネートフィルムをボードから剥がす場合には、大きく破れたり、部分的にボードに残ったりして、短時間に綺麗に剥がすことができないか、或いは所定以上に粘着力が大きいラミネートフィルムの場合には、剥がすこと自体が不可能となる。
【０００７】
また、製品巻取りローラに巻取り可能な被貼付け材の場合には、被貼付け材そのものが僅かに撓んだりして、下ローラの表面に密着し易い。しかし、ポスターボードのような製品巻取りローラに巻取ることのできない被貼付け材は、本来的に僅かな撓み、反り等を有していて、被貼付け面である表面は完全平面ではないことの方が多い。ところが、従来のラミネータでは、被貼付け材の僅かな撓み、反り等は、下ローラ及び／又は上ローラの外周部を形成している弾性材（ゴム材）の僅かな弾性変形量に依存するしかなかったので、前記撓み、反り等が大きな場合には、各ローラの外周部の弾性材の僅かな弾性変形量では対応できないため、ボードとラミネートフィルムとの間に小さな気泡が発生したり、或いはラミネートフィルムに僅かにしわがはいった状態でボードに貼り付けられており、製品品質上において問題があった。
【特許文献１】特開２００３−２００４９４号公報
【発明の開示】
【発明が解決しようとする課題】
【０００８】
本発明は、上記構成のラミネータにおいて、選挙用ポスターのボードのようにポスターの使用後においては、ラミネートフィルムを剥がし取ることが可能な程度の小さな粘着力のラミネートフィルムでも一定期間内では剥がれることなく、しっかりと基板に貼り付けられるようにすることを課題としている。
【課題を解決するための手段】
【０００９】
上記課題を解決するための請求項１の発明は、機台に回転可能に支持されて駆動回転される下ローラと、当該下ローラの直上に配置されて、当該下ローラを加圧することにより従動回転される上ローラとを備え、前記上ローラの両端部を支持している左右一対のローラ支持部材と、垂直配置されて前記機台に回転可能に支持された左右一対の雄螺子部材から成る加圧ロッドの下端部とが螺合され、前記加圧ロッドを特定方向に回転させることにより、前記上ローラは直下の下ローラを加圧する構成であり、前記下ローラの駆動回転により当該下ローラと上ローラとの間で基板を挟持加圧して当該基板を通過させると共に、当該基板の移動と同期してフィルムローラから引き出されたラミネートフィルムを前記上ローラの加圧力により前記基板の表面に貼り付ける構成のラミネータであって、前記加圧ロッドと前記ローラ支持部材とは、圧縮バネの復元力により前記上ローラに加圧力を発生させる圧縮バネ機構を介して連結されていることを特徴としている。
【００１０】
請求項１の発明によれば、下ローラと上ローラとの間で基板が挟持加圧された状態で、下ローラの駆動回転により基板が送出されつつ、当該基板の表面にラミネートフィルムが貼り付けられる場合の上ローラの加圧力は、加圧ロッドにより圧縮バネ機構を構成する圧縮バネが圧縮されて発生する弾性復元力（バネ力）と、上ローラの自重の和である。このように、下ローラに対する上ローラの加圧力は、圧縮バネ機構を構成する圧縮バネの弾性復元力（バネ力）を主体にしていて、圧縮ロッドの加圧力が直接に上ローラに作用する構造ではないので、基板全体の反り、撓みに応じて左右の各圧縮バネの圧縮量自体が独立して自在に変更されることにより、上ローラの微妙な上下動を許容すると共に、上ローラの外周部を形成する弾性材層（ゴム層）の弾性変形量が軸方向に沿った部位により異なる構造が実現される。
【００１１】
この結果、圧縮バネの弾性復元力（バネ力）による大きな加圧力で基板に加圧されるために、粘着力の小さなラミネートフィルムであっても基板に貼り付けることが可能になり、しかも基板全体に多少の反り、撓みにあっても、上ローラが微妙に上下動し得る構造であると共に、上ローラの外周部を形成している弾性材層（ゴム層）の弾性変形量が軸方向に沿った部位により異ならしめることが可能となるため、基板とラミネートフィルムとの間に小さな気泡が発生することなく、基板全体にラミネートフィルムを密着した状態で貼り付けることができる。このため、基板が選挙用ポスターを貼り付けるためのポスターボードである場合には、粘着力の小さなラミネートフィルムであっても、選挙期間中には剥がれることなく、ラミネートフィルムをしっかりと貼り付けることができ、しかも選挙期間終了後においては、本来的に粘着力の小さなラミネートフィルムであるために、ポスターボードからラミネートフィルムを剥がして、ポスターボードを再利用することが可能となる。
【００１２】
また、請求項２の発明は、請求項１の発明において、前記加圧ロッドの下端部には、上バネ座板を有するガイド筒部が螺合され、前記ローラ支持部材の上端部は、前記ガイド筒部の外側に摺動可能に嵌合される筒状摺動嵌合部となっていて、前記ローラ支持部材の前記筒状摺動嵌合部の下方の雄螺子部に下バネ座板が螺合されて、上下の各バネ座板の間に圧縮コイルバネが介装されていることを特徴としている。
【００１３】
請求項２の発明によれば、加圧ロッドとローラ支持部材とは、圧縮バネの復元力により前記上ローラに加圧力を発生させる圧縮バネ機構を介して連結された構成を簡単に実現できる。また、加圧ロッドのローラ支持部材に上端部に一体に形成された筒状摺動嵌合部の下端部の雄螺子部に下バネ座板が螺合されているために、筒状摺動嵌合部の下端部の雄螺子部に対して下バネ座板を回転させることにより、上下の各バネ座板の間隔を調整できて、圧縮コイルバネの復元力の調整を簡単にできる。
【００１４】
また、請求項３の発明は、請求項１又は２の発明において、前記基板は、選挙用ポスターを貼り付けるためのポスターボードであって、基板部の裏面に一方向のみに沿ったリブを有しており、前記下ローラには、ポスターボードのリブとの干渉を回避するための周溝が形成されていることを特徴としている。
【００１５】
請求項３の発明によれば、基板が、基板部の裏面に一方向のリブを有するポスターボードであっても、下ローラの軸方向に沿った対応位置には、前記リブとの干渉回避のための周溝が形成されているため、裏面にリブを有しない基板と同様に、その表面にラミネートフィルムを貼り付けることができる。
【００１６】
また、請求項４の発明は、請求項１ないし３のいずれかの発明において、上下の各ローラは、軸方向の全ての部分で外径が同一のローラであることを特徴としている。
【００１７】
撓み、反り、捩れ等を有する基板が上下の各ローラの間を通過すると、上ローラの両端部を支持しているローラ支持部材と、機体に垂直に支持された加圧ロッドとの間に介装された左右一対の圧縮バネの圧縮量の差が発生して、上下の各ローラが非平行となって、基板の撓み、反り、捩れ等に対応できるので、請求項４の発明のように、上下の各ローラは、軸方向の全ての部分で外径が同一のローラであっても、気泡、しわ等が発生することなく、基板の表面にラミネートフィルムを貼り付けることができる。
【発明の効果】
【００１８】
本発明によれば、下ローラと上ローラとの間で基台が挟持加圧された状態で、下ローラの駆動回転により基板が送出されつつ、当該基板の表面にラミネートフィルムが貼り付けられる場合の上ローラの加圧力は、加圧ロッドにより圧縮バネ機構を構成する圧縮バネが圧縮されて発生する弾性復元力（バネ力）と、上ローラの自重の和である。このように、下ローラに対する上ローラの加圧力は、圧縮バネ機構を構成する圧縮バネの弾性復元力（バネ力）を主体にしていて、加圧ロッドの加圧力が直接に上ローラに作用する構造ではないので、基板全体の反り、撓みに応じて左右の各圧縮バネの圧縮量自体が独立して自在に変更されることにより、上ローラの微妙な上下動を許容すると共に、上ローラの外周部を形成する弾性材層（ゴム層）の弾性変形量が軸方向に沿った部位により異なる構造が実現される。
【００１９】
このため、圧縮バネの弾性復元力（バネ力）による大きな加圧力で基板に加圧されるために、粘着力の小さなラミネートフィルムであっても基板に貼り付けることが可能になると共に、基板全体に多少の反り、撓みがあっても、上ローラが微妙に上下動し得る構造であると共に、上ローラの外周部を形成している弾性材層（ゴム層）の弾性変形量が軸方向に沿った部位により異なるため、基板とラミネートフィルムとの間に小さな気泡が発生することなく、基板全体にラミネートフィルムが密着した状態で貼り付けることができる。よって、基板が選挙用ポスターを貼り付けるためのポスターボードの場合でも、ポスターの使用後においては、剥がし取ることが可能な程度の小さな粘着力のラミネートフィルムでも一定期間内では剥がれることなくしっかりと貼り付けられる。
【発明を実施するための最良の形態】
【００２０】
以下、最良の実施形態を挙げて本発明について更に詳細に説明する。最初に、図１ないし図５を参照にして、本発明に係るラミネータについて説明し、その後に、ポスターボードＢにラミネートフィルムＦを貼り付ける作用について説明する。図１は、本発明に係るラミネータの前後にボード置台Ａ1 ，Ａ2 を設置した状態の全体斜視図であり、図２は、本発明に係るラミネータの正面図であり、図３は、同じく側面図であり、図４は、図２の部分拡大断面図であり、図５は、圧縮バネ機構Ｋの拡大断面図である。
【００２１】
図１ないし図５において、キャスター１を備えて移動可能な機台２の対向する側フレーム３には、駆動モータＭからの駆動力により駆動回転される下ローラＲ1 が軸心を水平にして左右一対の軸受Ｇ1 を介して回転可能に支持されている。下ローラＲ1 の前後には、それぞれカバー４が水平に配置されて、当該下ローラＲ1 は、自身の上端部のみが部分的に露出した配置となっている。下流側のカバー４の下方には駆動モータＭが配置されて、当該モータＭの駆動軸５に取付けられた鎖歯車６と、前記下ローラＲ1 の軸方向の一端部の軸支持部１０に取付けられた鎖歯車７との間に鎖８が掛装され、駆動モータＭの駆動力により下ローラＲ1 は所定方向（右側面図で時計回転方向）に駆動回転する。また、本発明に係るラミネータは、基板部９１の裏面に補強用の複数のリブ９２が一方向のみに設けられたポスターボードＢの表面に保護フィルムＦを貼付け可能にするために、下ローラＲ1 の本体部２０における前記ポスターボードＢの各リブ９２に対応する部分には、当該各リブ９２との干渉を回避するための複数の周溝９が形成されている。なお、図１に示されるように、下ローラＲ1 を駆動回転させる各鎖歯車６，７と鎖８で構成される鎖歯車装置は、側フレーム３の外側に配置されている。
【００２２】
一方、上ローラＲ2 は、前記下ローラＲ1 の直上に、主要部が雄螺子棒から成る左右一対の各加圧ロッド１１の正逆回転により上下動するように配置されている。上ローラＲ2 の両端部の軸支持部１２は軸受Ｇ2 で支持されており、当該軸受Ｇ2 は、二面幅部を有する軸受支持体１３に嵌め込まれていて、当該軸受支持体１３の二面幅部は、対向配置された左右一対の側フレーム３に上下方向に形成された案内溝１４に嵌め込まれた状態で上下動する構成となっている。前記加圧ロッド１１は、左右の各側フレーム３の外側に垂直に配置されて、その上端部がロッド支持体１５に回転可能に支持され、加圧ロッド１１におけるロッド支持体１５よりも上方に突出した部分には、第１傘歯車１６が一体に取付けられて、当該第１傘歯車１６がロッド支持体１５に当接することにより、加圧ロッド１１はロッド支持体１５に対して吊り下げられた状態で支持されている。左右の各側フレーム３の上端部における上下の各ローラＲ1 ，Ｒ2 の直上には、連結軸１７が支持されていて、当該連結軸１７における各側フレーム３から外方に突出した部分には、前記各第１傘歯車１６と噛合する第２傘歯車１８がそれぞれ取付けられている。左右の第１及び第２の各傘歯車１６，１８の噛合関係は、連結軸１７の回転により左右の各第１傘歯車１６が同一方向に回転するような関係となっている。連結軸１７の一端部には、当該連結軸１７を手動回転させるためのハンドル１９が取付けられている。なお、図４及び図５において、３０は、側フレーム３の外側に配置された加圧ロッド１１を外側から覆っているカバーを示す。
【００２３】
また、上ローラＲ2 の両端部は、本体部２１に比較して径の小さな軸支持部１２となっており、当該軸支持部１２は、左右の各側フレーム３の案内溝１４を通って外方に突出されていて、各軸支持部１２には、上ローラＲ2 を左右両端部で支持するためのローラ支持体２２が取付けられている。そして、機台２に回転可能に支持された下ローラＲ1 の軸心Ｃ1 は、当該機台２に対して不変となっていて、上ローラＲ2 の左右両端部を支持しているローラ支持体２２と、主要部が雄螺子棒から成る前記加圧ロッド１１とは、下ローラＲ1 の軸心Ｃ1 に対して上ローラＲ2 の軸心Ｃ2 が僅かに上下方向に変位可能とすべく、圧縮バネ機構Ｋを介して連結されている。
【００２４】
また、図５に拡大して示されるように、前記圧縮バネ機構Ｋは、上端部がフランジ状の上バネ座板３１となっていて、前記加圧ロッド１１の下端部に螺合されたガイド筒部３２と、前記ローラ支持体２２の上端部に一体に形成されて、前記ガイド筒部３２の外側に摺動可能に嵌合される筒状摺動嵌合部３３と、当該筒状摺動嵌合部３３の下端に当該筒状摺動嵌合部３３よりも小径に形成されて連続する雄螺子部３４に所定の隙間を有して嵌合された下バネ座板３５と、上下の各バネ座板３１，３５の間に弾装された圧縮コイルバネ３６とで構成される。前記雄螺子部３４には、複数のナット体３９が螺合され、前記下バネ座板３５は、最も上側のナット体３９で支持されていて、雄螺子部３４に対する最も上方のナット体３９の位置を調整することにより、圧縮コイルバネ３６の圧縮量、即ち、上ローラＲ2 に対して加圧力として作用する圧縮コイルバネ３６の復元力を調整できる。このため、ハンドル１９の回転により連結軸１７を回転させ、これにより左右の各加圧ロッド１１が回転して、下ローラＲ1 に対して上ローラＲ2 が所定圧力で圧接した状態において、左右の各圧縮コイルバネ３６の少なくとも一方が独立して所定量だけ圧縮されることにより、下ローラＲ1 の軸心Ｃ1 に対して上ローラＲ2 の軸心Ｃ2 は、僅かに上下方向に変位することになる。この上下方向の変位には、上下の各ローラＲ1 ，Ｒ2 の間を通過する基板の撓み、反り等を含んだ全体形状に対応して、図９（ａ）に示されるように、各軸心Ｃ1 ，Ｃ2 が平行を維持しながら、各軸心Ｃ1 ，Ｃ2 の間の距離が変化するように軸心Ｃ2 が変位する場合と、同図（ｂ），（ｃ）に示されるように、下ローラＲ1 の軸心Ｃ1 に対して上ローラＲ2 の軸心Ｃ2 が非平行となるように変位する場合とがある。なお、図９において、Ｄ1 ，Ｄ2 は、それぞれ上下の各ローラＲ1 ，Ｒ2 の左右両端部の各軸心Ｃ1 ，Ｃ2 の間の距離を示す。
【００２５】
また、圧縮コイルバネ３６の圧縮量を規制するために、上バネ座板３１を一体に有するガイド筒部３２に軸方向に形成された規制溝３７に、筒状摺動嵌合部３３に対して半径方向に螺合された係合ピン３８が挿入係合され、当該係合ピン３８が前記規制溝３７の上下の形成端面に当接することより、圧縮コイルバネ３６の圧縮量を規制している。図４及び図５で示される状態は、ガイド筒部３２の規制溝３７の下方形成端に対して筒状摺動嵌合部３３に設けられた係合ピン３８が僅かに離間して、上下の各バネ座板３１，３５の間隔（Ｌ）が最大〔ガイド筒部３２の規制溝３７の下方形成端に、筒状摺動嵌合部３３の係合ピン３８が圧接した状態において、前記間隔（Ｌ）が最大となる〕よりも僅かに短くなって、圧縮コイルバネ３６の圧縮量が最小よりも僅かに大きくなった状態である。この状態は、各ローラＲ1 ，Ｒ2 の間でポスターボードＢを挟持加圧していない状態である。ラミネート時において、各ローラＲ1 ，Ｒ2 の間でポスターボードＢが挟持加圧されると、下ローラＲ1 に対して上ローラＲ2 が僅かに上昇して、各ローラＲ1 ，Ｒ2 の軸心Ｃ1 ，Ｃ2 の間の距離が僅かに大きくなって、上下の各バネ座板３１，３５の間隔（Ｌ）が、ポスターボードＢを挟持加圧しない状態に対して僅かに小さくなるが、圧縮コイルバネ３６の復元力は僅かに増加して、上ローラＲ2 を下方に加圧している。このため、下ローラＲ1 に対して上ローラＲ2 が僅かに変位しても、圧縮コイルバネ３６の復元力による上ローラＲ2 に対する加圧力は維持されていて、全く低減されることはないので、ポスターボードＢの基板部９１に対して保護フィルムＦを大きな加圧力で貼り付けることが可能となる。また、加圧ロッド１１の加圧力により圧縮コイルバネ３６が更に圧縮され、当該圧縮コイルバネ３６の弾性復元力（バネ力）により、下ローラＲ1 に対して上ローラＲ2 が加圧されて、加圧ロッド１１の加圧力により上ローラＲ2 が直接に加圧されることはない。なお、ガイド筒部３２の規制溝３７に、筒状摺動嵌合部３３に螺合された係合ピン３８が挿入係合されることにより、下ローラＲ1 に対して上ローラＲ2 を離間させた場合に、ガイド筒部３２の規制溝３７の下方形成端に、筒状摺動嵌合部３３に設けられた係合ピン３８が圧接して、加圧ロッド１１の側と上ローラＲ2 のローラ支持体２２の側との連結状態が確保されて、加圧ロッド１１の側とローラ支持体２２の側とが恰も一体となって、下ローラＲ1 に対して上ローラＲ2 が上昇する。
【００２６】
また、図１及び図３に示されるように、原反保護フィルムＦ’は、左右一対のローラ支持アーム４１に支持されたフィルムローラ４２に保護フィルムＦが巻回されたものであって、原反保護フィルムＦ’は、前記連結軸１７とほぼ同一高さの位置であって、しかも当該連結軸１７よりもポスターボードＢが移送される方向Ｐに沿って下流側に配置されている。原反保護フィルムＦ’から引き出された保護フィルムＦは、上ローラＲ2 の外周面に引き掛けられて、上下の各ローラＲ1 ，Ｒ2 の回転により当該各ローラＲ1 ，Ｒ2 の間を通過するポスターボードＢの表面に貼り付けられる。保護フィルムＦも、ポスターボードＢと同様に、上下の各ローラＲ1 ，Ｒ2 の回転により原反保護フィルムＦ’から引き出される。なお、図１において、４３は、左右の側フレーム３を補強するために当該左右の各側フレーム３を補強している補強バーを示す。
【００２７】
ここで、「保護フィルム」とは、通常の「ラミネートフィルム」よりも遥かに引剥し力が小さなフィルムであって、主たる用途は、諸物品の表面に貼り付けて当該表面を保護したり、或いは見栄えを良好にするのに使用される。このため、通常の「ラミネートフィルム」が２５〜２９Ｎ／２５ｍｍ程度の引剥し力を有するのに対して、「保護フィルム」は、０．７〜０．９Ｎ／２５ｍｍ程度の引剥し力を有するものである。ここで、「引剥し力」とは、一定幅のフィルムを垂直に引き剥がすのに必要な力を示し、「引剥し力」が大きい程、フィルムの粘着力が大きいことを意味する。粘着力の観点から見ると、「保護フィルム」は「ラミネートフィルム」の１／３０程度であって、相当に小さいので、「保護フィルム」とは、粘着力の小さな「ラミネートフィルム」とも言える。このため、従来のラミネータにより、ポスターボードの表面に「保護フィルム」を貼り付けた場合には、粘着力が小さいことが主因となって、屋外放置した場合には、１〜数日後に剥がれてしまうため、選挙期間中（例えば、３０日間）に亘ってポスターボードの表面を保護するのに適さない。なお、「ラミネートフィルム」は粘着力が大きいために、台紙に貼り付けた状態で巻回されていて、ラミネート時において台紙と分離して使用されるのに対して、「保護フィルム」は、台紙を使用せずに巻回しても、原反保護フィルムから引出し可能である。
【００２８】
また、下ローラＲ1 に対して上ローラＲ2 が近接するように、ハンドル１９を所定方向に回転させて、左右一対の加圧ロッド１１を同方向に回転させると、下ローラＲ1 に対して上ローラＲ2 が当接し、更にハンドル１９を回転させると、下バネ座板３５に対して上バネ座板３１が下降して圧縮バネ機構Ｋの圧縮コイルバネ３６が更に圧縮され、当該圧縮コイルバネ３６の弾性復元力（バネ力）により下ローラＲ1 に対して上ローラＲ2 が加圧されて下ローラＲ1 に対する上ローラＲ2 の加圧力が発生する。ここで、上下の各ローラＲ1 ，Ｒ2 は、従来のラミネータで使用されているものと同一であって、いずれも鉄心部６１の外周面に弾性材層（ゴム層）６２が被覆された構造であって、実施例の各ローラＲ1 ，Ｒ2 に関しては、長さと外径は、それぞれ１，３２０ｍｍ，１０５ｍｍであって同一である。なお、各ローラＲ1 ，Ｒ2 の外径は、全長に亘って同一である。但し、ゴム層の肉厚に関しては、上ローラＲ2 が２０ｍｍであるのに対して下ローラＲ1 は５ｍｍであり、これに対応して鉄心部の外径が定められる。重量に関しては、下ローラＲ1 が３６ｋｇであるのに対して、上ローラＲ2 は２１ｋｇであった。従来のラミネータは、上ローラＲ2 の自重を主体にして被貼付け材に対するラミネートフィルムの貼付け力を得ているので、上ローラＲ2 の自重は、ラミネートフィルムの貼付け力を左右する大きな要素であった。
【００２９】
また、図１に示されるように、機台２の前後には、保護フィルムＦを貼り付ける前後のポスターボードＢを載置して搬送させるためのボード置台Ａ1 ，Ａ2 がそれぞれ配置され、各ボード置台Ａ1 ，Ａ2 の上部のポスターボードＢを支持する部分は、ローラコンベア５１となっている。なお、図１において、５２，５３は、それぞれローラコンベア５１を構成するローラ、ボード置台Ａ1 ，Ａ2 のキャスターを示す。
【００３０】
次に、図４〜図９を参照して、本発明に係るラミネータを用いて、ボスターボードＢの表面に保護フィルムＦを貼り付ける作用について説明する。図７は、ポスターボードＢの表面に保護フィルムＦを貼り付けている状態の上下の各ローラＲ1 ，Ｒ2 の正面図であり、図８は、同じく側面図であり、図９（ａ）〜（ｃ）は、下ローラＲ1 の軸心Ｃ1 に対する上ローラＲ2 の軸心Ｃ2 の変化を示す図である。まず、下ローラＲ1 に対して上ローラＲ2 が近接するように、ハンドル１９を所定方向に回転させて、左右一対の加圧ロッド１１を同方向に回転させると、下ローラＲ1 に対して上ローラＲ2 が当接し、更にハンドル１９を回転させて、上下の各ローラＲ1 ，Ｒ2 の外周の各ゴム層が弾性変形されることにより、下ローラＲ1 に対する上ローラＲ2 の加圧力をポスターボードＢに対して最適な大きさに調整しておく。下ローラＲ1 が駆動回転され、下ローラＲ1 に所定の活力で弾接している上ローラＲ2 は、下ローラＲ1 の回転により従動回転（連廻り回転）される。
【００３１】
そして、上下の各ローラＲ1 ，Ｒ2 が回転している状態において、機台２の手前側に配置されたボード置台Ａ1 のローラコンベア５１に載せられたポスターボードＢの裏面の各リブ９２を下ローラＲ1 の各周溝９に挿入して、当該ポスターボードＢが、原反保護フィルムＦ’から引き出された保護フィルムＦと一緒になって上下の各ローラＲ1 ，Ｒ2 の間に送り込まれた後は、上下の各ローラＲ1 ，Ｒ2 の回転によりポスターボードＢが各ローラＲ1 ，Ｒ2 の間に引き込まれて、当該ポスターボードＢは、基板部９１の表面に保護フィルムＦが貼り付けられた状態で、各ローラＲ1 ，Ｒ2 の間から奥側のボード置台Ａ2 のローラコンベア５１上に送り出される。
【００３２】
ここで、下ローラＲ1 と上ローラＲ2 との間でポスターボードＢが挟持加圧された状態で、下ローラＲ1 の駆動回転によりポスターボードＢが送出されつつ、当該ポスターボードＢの基板部９１の表面に保護フィルムＦが貼り付けられる場合の上ローラＲ2 の加圧力は、左右一対の加圧ロッド１１による本来の加圧力、及び上ローラＲ2 の自重による加圧力の他に、左右一対の圧縮コイルバネ３６の復元力による加圧力が作用するため、加圧力が大きくなるのみならず、ポスターボードＢの全体の反り、撓みに応じて左右一対の各圧縮コイルバネ３６の圧縮量自体が独立して自在に変更されることにより、上ローラＲ2 の微妙な上下動を許容すると共に、上ローラＲ2 の外周部を形成する弾性材層（ゴム層）の弾性変形量が軸方向に沿った部位により異なる構造が実現される。なお、図７において、Ｓは、上ローラＲ2 の両端の軸支持部１２に作用する下ローラＲ1 に対する加圧力であって、圧縮コイルバネ３６の復元力によるバネ力である。
【００３３】
例えば、ポスターボードＢでは、基板部９１の裏面に複数本のリブ９２が同一方向に設けられているため、基板部９１におけるリブ９２が設けられている部分、及びその周辺の部分は、他の部分よりも剛性が高いために、変形されにくい構造となっており、上下の各ローラＲ1 ，Ｒ2 の間がポスターボードＢを挟持加圧して送出させる場合において、ポスターボードＢの基板部９１の変形の程度は、リブ９２の部分と、それ以外の部分とでは微妙に異なるが、上ローラＲ2 の微妙な上下動により、ポスターボードＢの全体の非平面性が吸収されて、基板部９１の表面に保護フィルムＦが均一に貼り付けられる。ここで、「上ローラＲ2 の微妙な上下動」とは、図９（ａ）に示されるように、上下の各ローラＲ1 ，Ｒ2 の各軸心Ｃ1 ，Ｃ2 が平行を維持しながら、各軸心Ｃ1 ，Ｃ2 の間の距離が変化するように軸心Ｃ2 が変位する現象と、同図（ｂ），（ｃ）に示されるように、下ローラＲ1 の軸心Ｃ1 に対して上ローラＲ2 の軸心Ｃ2 が非平行となるように変位する現象とが、ポスターボードＢの撓み、反り等を含んだ全体形状に対応して随時発生することにより、上ローラＲ2 の軸心Ｃ2 が変動することを意味する。そして、本発明のラミネータでは、上下の各ローラＲ1 ，Ｒ2 の各軸心Ｃ1 ，Ｃ2 の両端部の距離Ｄ1 ，Ｄ2 が大きくなっても、上ローラＲ2 は、左右一対の圧縮コイルバネ３６の復元力により下方に加圧される点が、従来のラミネータと根本的に異なる。即ち、上ローラＲ2 は、ポスターボードＢの全体形状の変化に対応して、所定の加圧力を保持したまま微小範囲内で上下動し得るため、ポスターボードＢの基板部９１の表面に保護フィルムＦを、気泡、しわ等が発生することなく全面密着した状態で貼り付けることが可能となる。更に、「上ローラＲ2 の微妙な上下動」は、ローラ支持体２２の筒状摺動嵌合部３３の雄螺子部３４に対する下バネ座板３５の螺合位置を調整して、圧縮コイルバネ３６の弾性復元力の調整により更に微妙に行える。
【００３４】
この結果、粘着力の小さな保護フィルムＦであっても、大きな加圧力により基板に加圧されるために、貼り付けることが可能になると共に、基板全体に多少の反り、撓みにあっても、上ローラＲ2 が微妙に上下動し得る構造であると共に、左右の各圧縮コイルバネ３６の弾性復元力の差異により、上ローラＲ2 の外周部を形成している弾性材層（ゴム層）の弾性変形量が軸方向に沿った部位により異なる現象が実現される。このため、ポスターボードＢの基板部９１の表面と保護フィルムＦとの間に小さな気泡が発生することなく、ポスターボードＢの表面に保護フィルムＦが全面密着した状態で貼り付けることができる。よって、基板が選挙用ポスターを貼り付けるためのポスターボードＢである場合には、粘着力の小さな保護フィルムＦであっても、選挙期間中には剥がれることなく、ポスターボードＢの表面に保護フィルムＦをしっかりと貼り付けることができ、しかも選挙期間終了後においては、本来的に粘着力の小さな保護フィルムＦであるために、ポスターボードＢから保護フィルムＦを破ることなく剥がして、ポスターボードＢを再利用することが可能となる。
【００３５】
実施例では、０．７〜０．９Ｎ／２５ｍｍの保護フィルムＦを使用して、ポスターボードＢの基板部９１の表面に前記保護フィルムＦを貼り付けて、屋外に垂直に立てた状態で６０日間に亘って放置したが、保護フィルムＦの剥がれ、しわの発生等は、殆どなかった。また、６０日間に亘って屋外に放置した保護フィルムＦは、ポスターボードＢの基板部９１の表面から破れることなく、剥がすことができた。この結果、ポスターボードＢを再利用できることが分かった。
【００３６】
また、左右一対の加圧ロッド１１と、上ローラＲ2 の両端部を支持しているローラ支持体２２を連結する圧縮バネ機構に関しては、圧縮バネの復元力が上ローラＲ2 を下方に加圧した状態で、加圧ロッド１１とローラ支持体２２とが連結されておればいかなる構造であってもよく、上記実施例の圧縮バネ機構Ｋに限定されない。
【００３７】
また、上記実施例では、保護フィルムＦの貼付け対象が、裏面に補強用のリブ９２を有するポスターボードＢであるために、当該リブ９２との干渉回避のために周溝９を有する下ローラＲ1 を用いている。しかし、保護フィルムＦの貼付け対象は、基板状をなしておれば、ポスターボードＢに限定されないので、単なる基板（裏面に突出物が存在しない基板）の場合には、下ローラＲ1 は、周溝等を有しない通常のローラの使用で足りる。
【００３８】
また、上記実施例では、上下の各ローラＲ1 ，Ｒ2 は、全長に亘って外径が一定の構造であるが、軸方向の中央部の外径が最大であって、中央部から両端に向けて外径が漸次小さくなったローラの使用も可能である。このローラの場合には、基板に貼り付けられるラミネートフィルムを幅方向の中央部から両端部に延ばす作用があるので、貼り付けられたラミネートフィルムにしわが発生し易い基板の場合には、このローラの使用が適している。
【図面の簡単な説明】
【００３９】
【図１】本発明に係るラミネータの前後にボード置台Ａ1 ，Ａ2 を設置した状態の全体斜視図である。
【図２】本発明に係るラミネータの正面図である。
【図３】同じく側面図である。
【図４】図２の部分拡大断面図である。
【図５】圧縮バネ機構Ｋの拡大断面図である。
【図６】ポスターボードＢの一部を破断した斜視図である。
【図７】ポスターボードＢの表面に保護フィルムＦを貼り付けている状態の上下の各ローラＲ1 ，Ｒ2 の正面図である。
【図８】同じく側面図である。
【図９】（ａ）〜（ｃ）は、それぞれ下ローラＲ1 の軸心Ｃ1 に対する上ローラＲ2 の軸心Ｃ2 の変化を示す図である。
【符号の説明】
【００４０】
Ｂ：ポスターボード
Ｆ：保護フィルム（ラミネートフィルム）
Ｆ’：原反保護フィルム
Ｋ：圧縮バネ機構
Ｒ1 ：下ローラ
Ｒ2 ：上ローラ
２：機台
９：周溝
１１：加圧ロッド
２２：ローラ支持体（ローラ支持部材）
３１：上バネ座板
３２：ガイド筒部
３３：筒状摺動嵌合部
３４：雄螺子部
３５：下バネ座板
３６：圧縮コイルバネ
４２：フィルムローラ
９１：ポスターボードの基板部
９２：ポスターボードのリブ
【図１】
2009073137.tif 000003
【図２】
2009073137.tif 000004
【図３】
2009073137.tif 000005
【図４】
2009073137.tif 000006
【図５】
2009073137.tif 000007
【図６】
2009073137.tif 000008
【図７】
2009073137.tif 000009
【図８】
2009073137.tif 000010
【図９】
2009073137.tif 000011